(57)【要約】【課題】発電機の同期投入装置における位相同期検出回路をアナログ回路とデジタル回路でハイブリッド化し、かつ、ゼロクロスノイズ等にも強い位相同期検出回路を提供することが課題である。【解決手段】位相同期検出回路を、発電機における電圧入力回路出力の位相を１／４波長遅らせる移相手段と、移相手段出力と母線の電圧入力回路出力とをかけ算するかけ算手段と、該かけ算手段出力波形の包絡線におけるプラス、マイナスが等しくなる位置における信号を出力する比較手段と、該比較手段出力から母線と発電機電圧の位相が１８０度ずれた位置の信号を除外する手段とで構成し、母線と発電機の電圧をかけ算することによって単に加算や減算した場合に較べて差を大きく取ることができるようにして、同期点を高精度に検出することが可能とした。【選択図】    図１
2005012937.tif 000002
【特許請求の範囲】
【請求項１】
商用電源または他の発電機からの電力が供給されている母線と前記発電機の電圧を同期投入するための位相同期点を検出する発電機における位相同期検出回路であって、
前記発電機の電圧入力信号の位相を１／４波長遅らせる移相手段と、該移相手段出力と前記母線の電圧入力信号とをかけ算するかけ算手段と、該かけ算手段出力波形の包絡線におけるプラス、マイナスが等しくなる位置における信号を出力する比較手段と、該比較手段出力から前記母線と前記発電機電圧の位相が半波長ずれた位置の信号を除外する手段とからなることを特徴とする発電機における位相同期検出回路。
【請求項２】
前記比較手段は、前記かけ算手段出力波形の包絡線におけるプラス、マイナスが等しくなる位置における信号を、予め与えられた前記母線と前記発電機における位相差が所定以下となったときに出力することを特徴とする請求項１に記載した発電機における位相同期検出回路。
【請求項３】
前記比較手段出力から母線と発電機電圧の位相が半波長ずれた位置の信号を除外する手段は、前記発電機の電圧入力信号の位相を１／４波長遅らせる移相手段と、該移相手段出力と前記母線の電圧入力信号の位相を比較し、両者の位相が略９０度乃至２７０度ずれていることを検出する位相判別器であることを特徴とする請求項１に記載した発電機における位相同期検出回路。
【発明の詳細な説明】
【０００１】
【発明の属する技術分野】
本発明は、ディーゼル発電機やマイクロガスタービン発電機などの発電機を、商用電源や既に動いている発電機と同期させて投入するための同期投入装置に用いられる位相同期検出回路に関し、特に、アナログ回路とデジタル回路をハイブリッド化して位相同期を検出する位相同期検出回路に関するものである。
【０００２】
【従来の技術】
商用電源、または他の発電機からの電力が供給されている母線に発電機電力を追加する場合、母線と新たに追加する発電機との間の電圧差、周波数差を許容値以内とし、位相が所定範囲で一致している必要がある。そのため、母線と新たに投入する発電機の位相が同期した点を検出するための位相同期検出回路が種々提案されている。例えば、母線電圧と発電機電圧をアナログ減算器で減算し、両者の電圧と周波数、及び位相が接近してくるとビート波形が出力されるため、このビート波形の包絡線が極小となったタイミングを同期タイミングとし、発電機を投入するといったことが行われている。しかしながらこの方法では、ビート波形に母線上の交流電圧、または発電機の出力電圧と同じ周波数のリップルが含まれるため、同期推定のための演算が複雑で難しいものになるという問題があった。そのため、時定数の大きなフィルターを用いてリップルを除去する方法も考えられるが、ビート波形に遅れが生じるために同期タイミングが遅れるという問題が生じる。
【０００３】
そのため特許文献１には、３相交流発電機の各相に同期した矩形波と、母線の３相交流電圧の特定相に同期した矩形波Ｖを生成し、矩形波Ｖの特定レベルの遷移毎に他の矩形波のレベルを判定し、各矩形波のレベルの組み合わせが所定の変化をしたときに同期タイミングと推定する方法が示されている。また、特許文献２には、発電所などの無人化や信頼性向上のため、母線電圧と発電機電圧の電圧をアナログ／デジタル変換し、それを加え合わせてビート電圧演算し、同期をデジタル的に検出する方式が示されている。
【０００４】
【特許文献１】
特開２０００−１３９０２９号公報
【特許文献２】
特開平６−３１１６５６号公報
【０００５】
【発明が解決しようとする課題】
しかしながら、特許文献１に記載された装置は簡単ではあるが３相交流の場合にしか使えず、また特許文献２に示された装置は、単純に母線電圧と発電機電圧をデジタル化して加え合わせてビート演算しているため、デジタルサンプリング中に正常な０Ｖとゼロクロスを生じるパルス性のノイズによる０Ｖが有る場合、どちらが正常な同期点かの判断が単純に決定出来ないため、誤動作する可能性がある。
【０００６】
そのため本発明においては、発電機の同期投入装置における位相同期検出回路をアナログとデジタル回路でハイブリッド化し、かつ、ゼロクロスノイズ等にも強い位相同期検出回路を提供することが課題である。
【０００７】
【課題を解決するための手段】
上記課題を解決するため本発明においては、
商用電源または他の発電機からの電力が供給されている母線と前記発電機の電圧を同期投入するための位相同期点を検出する発電機における位相同期検出回路であって、
前記発電機の電圧入力信号の位相を１／４波長遅らせる移相手段と、該移相手段出力と前記母線の電圧入力信号とをかけ算するかけ算手段と、該かけ算手段出力波形の包絡線におけるプラス、マイナスが等しくなる位置における信号を出力する比較手段と、該比較手段出力から前記母線と前記発電機電圧の位相が半波長ずれた位置の信号を除外する手段とからなることを特徴とする。
【０００８】
このように、発電機の電圧入力信号の位相を１／４波長遅らせて母線の電圧入力信号とかけ算することにより、単に加算や減算した場合に較べて差を大きく取ることができるから、同期点を高精度に検出することが可能となり、かつ、発電機出力の位相を１／４波長遅らせない場合、位相同期点が前記かけ算手段出力におけるピーク位置に出るため高精度な位相同期点検出ができないのに対し、本発明においては発電機出力の位相を１／４波長遅らせてかけ算しているため、位相同期点は前記かけ算手段出力における包絡線のプラス、マイナスが等しくなる位置（ゼロクロス点）に出るから、ゼロクロスノイズに影響されずに高精度な同期点検出をおこなうことができる。
【０００９】
そして、前記かけ算手段出力波形の包絡線におけるプラス、マイナスが等しくなる位置における信号を出力する比較手段は、前記かけ算手段出力波形の包絡線におけるプラス、マイナスが等しくなる位置における信号を、予め与えられた前記母線と前記発電機における位相差が所定以下となったときに出力するよう構成することにより、母線に発電機の電圧を投入するのに最適な同期点を出力することができる。
【００１０】
また、前記比較手段出力から母線と発電機電圧の位相が半波長ずれた位置の信号を除外する手段は、前記発電機の電圧入力信号の位相を１／４波長遅らせる移相手段と、該移相手段出力と前記母線の電圧入力信号の位相を比較し、両者の位相が略９０度乃至２７０度ずれていることを検出する位相判別器とすることにより、両者の位相が略９０度乃至２７０度ずれた位置というのは、もともと発電機電圧の位相を半波長ずらせた上で比較しているから、この位相判別器においては略１８０度乃至３６０度のズレとして検出でき、容易に検出が可能であると共にそれによって、前記かけ算手段出力波形の包絡線におけるプラス、マイナスが等しくなる位置に出現する母線と発電機電圧の位相が半波長ずれた時に出る信号を、容易に取り除くことができる。
【００１１】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１２】
図１は本発明の発電機における位相同期検出回路の実施の形態を示した概略ブロック図、図２は本発明の発電機における位相同期検出回路の入力波形とかけ算器の出力波形、図３は本発明の発電機における位相同期検出回路の各ブロックの出力波形、図４はかけ算器への発電機電圧の入力の位相をずらさなかったときの出力波形、図５はコンパレータ１７の具体的回路例、図６はその動作タイムチャートである。
【００１３】
図中、１は本発明の位相同期検出回路、２は商用電源、または他の発電機からの電力が供給されている母線電圧、３は位相同期を検出する発電機（本機）の電圧、４、５は変圧器（ＰＴ）、６、７はＣＰＵ演算回路８からのゲイン切り替え信号９によって出力を一定範囲の電圧とすると共に、この電圧をアナログ／デジタル変換するアナログ／デジタル変換機能を有した入力アンプ回路、１０、１１はＣＰＵ演算回路８に母線電圧及び周波数と発電機電圧及び周波数を送る信号線、１２は発電機電圧の位相を９０度遅らせる−９０度（１／４波長）移相器、１３は入力アンプ６によって一定範囲の電圧とされた母線電圧２と、同じく入力アンプ７によって一定範囲の電圧とされ、−９０度移相器１２で位相を９０度遅らせた電圧とをかけ算するかけ算器、１４はかけ算器１３の出力を一定範囲の電圧とするための自動ゲイン調整回路（ＡＧＣ）、１５は雑音を除去するフィルター回路、１６はアンプ（ＡＭＰ）、１７はアンプ（ＡＭＰ）１６からの信号がＣＰＵ演算回路８からの位相差設定信号１８の範囲に入ったときに位相差出力１９を出力するコンパレータ（比較器）、１８は位相差出力１９を母線電圧２と発電機電圧３の位相が所定範囲以下となった点で出力するため、ＣＰＵ演算回路８から送られる位相差設定のための信号、２０はアンプ（ＡＭＰ）１６で増幅された液晶パネル２６上の同期検定器用位相信号である。２１は母線電圧２と発電機電圧３の位相差が９０度から２７０度となったことを判別する位相判別器で、位相差が９０度から２７０度のときＨ信号を、位相差が２７０度から９０度のときＬ信号を出力する。２２は同期投入判別器、２３は母線電圧２と発電機電圧４の９０度から２７０度位相判別器２１から出力される位相極性信号、２４は周波数差と電圧差が設定値以内になったときの信号、２５は同期投入可能信号、２６は液晶パネル上の同期検定器である。
【００１４】
図５において、１８はＣＰＵ演算回路８からの位相差設定信号で、母線電圧２と発電機電圧４の位相が±１０度以内で一致したときに位相一致信号を出す場合は「Ｈ」の信号が、±５度以内で一致したときに位相一致信号を出す場合は「Ｌ」の信号が送られてくる。５０、５１は母線電圧２と発電機電圧４の位相が±１０度以内で一致していることを検出するコンパレータ、５２、５３は同じく母線電圧２と発電機電圧４の位相が±５度以内で一致していることを検出するコンパレータ、５４、５５、５８はノット回路、５６、５７はナンド回路、５９、６０はノア回路、６１はアンド回路である。
【００１５】
最初に図２、３を用いて本発明を簡単に説明すると、本発明においては、母線からの入力電圧２と、発電機からの入力電圧３の位相を−９０度移相器１２によって９０度（１／４波長）遅らせた電圧とをかけ算器１３でかけ算し、その結果から母線と発電機の電圧の位相同期点を検出するようにしたものである。すなわち今、母線電圧２が図２（Ａ）の状態であり、また発電機の電圧３が、仮に母線と発電機の電圧差と周波数差が許容範囲内で位相も同期がとれた図２（Ｂ）の状態であるとすると、この発電機電圧３の位相を−９０度移相器１２によって９０度遅らせた図２（Ｃ）の電圧と図２（Ａ）の電圧をかけ算した結果（フィルター１５の出口）は、図２（Ｄ）のようになる。なお、この図２において、横軸は母線電圧２における位相角である。そして例えば発電機電圧３が、図２（Ａ）の母線電圧２より４５度だけ位相が遅れている場合、母線電圧２と発電機電圧３をかけ算した結果は図２（Ｅ）のようにマイナス側に偏った出力が得られる。そしてさらに発電機電圧３が、図２（Ａ）の母線電圧２より９０度だけ位相が遅れている場合、母線電圧２と発電機電圧３をかけ算した結果は図２（Ｆ）のようにマイナス側だけとなり、同様にして１３５度遅れ、１８０度遅れ、２２５度遅れ、２７０度遅れ、３１５度遅れの結果は、それぞれ図２（Ｇ）、（Ｈ）、（Ｊ）、（Ｋ）、（Ｌ）のようになる。
【００１６】
この図２に示した発電機電圧３は、前記したように母線２と発電機３の電圧差と周波数差が許容範囲内で位相も同期がとれた状態であると仮定したが、この周波数にズレがあると、位相差は時間と共に変化してゆく。すなわち、最初に母線２と発電機電圧３が図２（Ｂ）のように同期が取れた状態、すなわちかけ算器１３の出力が図２（Ｄ）の状態であったとしても、発電機電圧３の周波数が母線２の周波数よりわずかに小さいと、この周波数差によって両者の位相は図２における（Ｅ）、（Ｆ）、（Ｇ）、（Ｈ）、（Ｊ）、（Ｋ）、（Ｌ）のように変化してゆき、そして周波数差で決まる一定時間毎に同期が取れた状態となる。
【００１７】
そのため、この図２から明らかなように、かけ算器１３の出力は、同期が取れた図２（Ｄ）の状態から、図２（Ｅ）のようにマイナス側に偏った状態、図２（Ｈ）のように１８０度遅れたときにプラスマイナスのバランスが取れた状態と変化し、さらに図２（Ｊ）のようにプラス側に偏った状態を経て、図２（Ｄ）のように同期の取れた状態に戻る。そのため、母線電圧２と発電機電圧３の位相状態をビート波形図３（Ｇ）にて表すと、かけ算器１３の出力は、図３（Ａ）に示したようになる。すなわちこの図３（Ａ）において、０度とは図２（Ｄ）のように同期の取れた状態であり、１８０度とは、図２（Ｈ）のように発電機電圧３が母線電圧２に対して１８０度（半波長）ずれた状態である。このようにすると、母線電圧２と発電機電圧３が同期した位置と位相が１８０度（半波長）ずれた位置においては、このかけ算器１３の出力における包絡線のプラス、マイナスが等しくなる。そこで、１８０度（半波長）ずれた位置の信号を捨て、同期した位置だけを取り出せば、包絡線のプラス、マイナスが等しくなる位置は電圧０の点とある角度を持って交差するから、精度の良い同期点検出が可能となる。
【００１８】
それに反し、例えば発電機からの入力電圧３の位相を図４に示したように遅らせずにかけ算した場合、同期点は包絡線のピーク位置に現れ、精度良く同期点を検出することができない。すなわち図４において、横軸は母線電圧２における位相角であり、母線電圧２が図４（Ａ）の状態で、発電機電圧３が図２の場合と同様母線と発電機の電圧差と周波数差が許容範囲内で位相も同期がとれた図４（Ｂ）の状態であるとし、このままの状態で図４（Ｂ）の発電機電圧と図４（Ａ）の母線電圧をかけ算すると、同期状態においては図４（Ｃ）のようにプラス側のみの出力が得られる。そして発電機電圧３が、図４（Ａ）の母線電圧２より４５度だけ位相が遅れた場合、母線電圧２と発電機電圧３をかけ算した結果は図４（Ｄ）のようにプラス側に偏った出力となる。そしてさらに発電機電圧３が、図４（Ａ）の母線電圧２より９０度だけ位相が遅れた場合、母線電圧２と発電機電圧３をかけ算した結果は図４（Ｅ）のようにプラス、マイナスが均等となり、同様にして１３５度遅れ、１８０度遅れ、２２５度遅れ、２７０度遅れ、３１５度遅れの結果は、それぞれ図４（Ｆ）、（Ｇ）、（Ｈ）、（Ｊ）、（Ｋ）のようになる。すなわちこの結果を図３のように、横軸を母線電圧２と発電機電圧３の位相ずれ角で表すと、同期の取れた０度と１８０度の位置は、包絡線のプラス側とマイナス側のピークの位置になり、ほぼ水平となって、精度良く同期点を検出することが難しくなる。
【００１９】
本発明はこのような考え方に従って発電機における位相同期検出回路を構成したものであり、以下、本発明を図１に従って詳細に説明する。図１において、商用電源、または他の発電機からの電力が供給されている母線の入力端子２、位相同期を検出する発電機（本機）からの電力の入力端子３に入力された電圧は、変圧器４、５で降圧され、入力アンプ６、７へ送られてくるＣＰＵ演算回路８からのゲイン切り替え信号９によって、かけ算器１３への入力に最適な電圧となるよう調整されてアナログ／デジタル変換される。そしてこの変換された電圧は、母線電圧１０、発電機電圧１１としてＣＰＵ演算回路８に送られて、前記したゲイン切り替え信号９とされると共に、発電機（本機）からの電圧３は、さらに−９０度移相器１２によって位相が９０度（１／４波長）遅らせられて、入力アンプ６の母線電圧と共にかけ算器１３と、９０度から２７０度の位相判別器２１に送られる。この９０度から２７０度の位相判別器２１は、後述するコンパレータ１７から出力される位相差出力１９から、１８０度（半波長）で出力された信号を除くためのもので、図３（Ｄ）に示したように、母線電圧２と発電機電圧３の位相差が２７０〜９０度の間は「０」（Ｌ）、９０〜２７０度の間は「１」（Ｈ）を出力する。
【００２０】
かけ算器１３では、前記図２で説明したように、送られてきた母線２からの電圧と発電機３の位相が９０度遅らせられた電圧とがかけ算され、図３（Ａ）のような電圧が出力される。そしてその電圧は、自動ゲイン調整回路（ＡＧＣ）１４で図３（Ａ）の電圧波形における包絡線が取り出され、フィルター１５でノイズが取り除かれてアンプ１６に送られる。このアンプ１６は、送られてきた電圧を所定電圧に増幅し、母線２からの電圧と発電機３の電圧の位相差は、図３（Ｂ）のように０Ｖより＋側の規定値の信号に変換され、これが位相信号２０としてＣＰＵ演算回路８に送られる。また、この増幅された図３（Ｂ）の信号は、コンパレータ１７にも送られ、このコンパレータ１７に送られているＣＰＵ演算回路８からの位相差設定信号１８と比較されて、母線２からの電圧と発電機３の電圧の位相が一定範囲で一致したとき（同期したとき）、図３（Ｃ）のような位相差出力信号１９を出して同期投入判別回路２２に送る。
【００２１】
このコンパレータ１７の動作を図５、図６により詳細に説明すると、図５に示したコンパレータ５０、５１、５２、５３の＋側には、図３（Ｂ）の電圧波形における位相が同期した位置（０度）の前後−１０度（コンパレータ５０）、−５度（コンパレータ５２）、＋５度（コンパレータ５３）、＋１０度（コンパレータ５１）の位置のそれぞれに相当する電圧が印加され、コンパレータ５１、５３は、母線電圧２と発電機電圧４の位相差が＋１０度、＋５度になる以前は「Ｌ」を出力する。そのため、その信号がノット回路５４、５５で反転され、図６に示したようにナンド回路５６、５７に「Ｈ」信号を送っている。しかしコンパレータ５０、５２は、母線電圧２と発電機電圧４の位相差が−１０度、−５度に達していない場合は図６に示したように「Ｌ」を出力しているから、このナンド回路５６、５７は閉じており、「Ｈ」出力がノア回路５９、６０に送られている。
【００２２】
一方、ＣＰＵ演算回路８からは位相差設定信号１８として、母線電圧２と発電機電圧４の位相が±１０度以内で一致したことを検出する場合は「Ｈ」の信号が、±５度以内で一致したことを検出する場合は「Ｌ」の信号が送られているから、いま、母線電圧２と発電機電圧４の位相が±１０度以内で一致したことを検出する場合、位相差設定信号１８の「Ｈ」信号がノア回路６０に、ノア回路５９にはノット回路５８で反転された「Ｌ」信号が送られ、オア回路６１にはこのノア回路５９、６０から「Ｌ」信号が送られてくるから、位相差出力１９は「Ｌ」となっている。
【００２３】
そして、母線電圧２と発電機電圧４の位相差が図６に示したように−１０度になると、コンパレータ５０がこれを検出して「Ｈ」信号を出力するためナンド回路５６が開いて出力が「Ｌ」となり、ノア回路５９の両入力が「Ｌ」となってオア回路６１に「Ｈ」信号が送られ、位相差出力１９は「Ｈ」となる。そして、次に母線電圧２と発電機電圧４の位相差が図６に示したように−５度となると、コンパレータ５２がこれを検出して「Ｈ」信号を出力するためナンド回路５７が開いて出力が「Ｌ」となり、ノア回路６０におくるが、このノア回路６０にはＣＰＵから位相差設定信号１８の「Ｈ」信号が送られているから出力は「Ｌ」のままで変化はない。
【００２４】
そして、次に母線電圧２と発電機電圧４の位相差が図６に示したように＋５度となると、コンパレータ５３がこれを検出して「Ｈ」信号を出力するためノット回路５５で反転された「Ｌ」信号がナンド回路５７に送られこれが閉じられ、出力が「Ｈ」となるが、ノア回路６０の出力は「Ｌ」であるから変化はない。そして、さらに母線電圧２と発電機電圧４の位相差が図６に示したように＋１０度となると、コンパレータ５１がこれを検出して出力が「Ｈ」となるため、それがノット回路５５で反転されて「Ｌ」信号がナンド回路５６に送られ、ノア回路５９に「Ｈ」信号が送られるためこのノア回路５９の出力が「Ｌ」となり、オア回路６１の位相差出力１９は図６に「１９．位相差出力（±１０°）」の所に示したように「Ｌ」となる。
【００２５】
なお、ＣＰＵ演算回路８から、位相差設定信号１８として±５度以内で一致したときに位相一致信号を出力する信号「Ｌ」が送られてきているときは、ノア回路５９にノット回路５８を通して「Ｈ」信号が加えられるから、このノア回路５９からは常時「Ｌ」信号が出力され、ノア回路６０からは前記したコンパレータ５２、５３が検出した−５度、＋５度の電圧によって図６に「１９．位相差出力（±５°）」の所に示したような信号が出力される。
【００２６】
このようにして、コンパレータ１７からは、ＣＰＵ演算回路８から送られる位相差設定信号１８の±１０°、または±５°の信号によって位相差が±１０°、または±５°になったときに位相が同期したという信号が同期投入判別回路２２に出力されるが、ただしこの位相差出力１９は、かけ算器１３の出力の中心電圧が電圧０の位置と交差する点を中心に出力されるため、図３（Ｂ）のフィルター出力（１５）からもわかるとおり、母線２からの電圧と発電機３の電圧の位相差が０度（同期点）のときと１８０度の時（同期がずれている）の両方で出力される。
【００２７】
そのため同期投入判別回路２２には、前記したように９０度から２７０度の位相判別器２１から母線電圧２と発電機電圧３の位相差が９０度から２７０度となったときの図３（Ｄ）のような信号と、ＣＰＵ演算回路８から母線電圧２と発電機電圧３の電圧差、周波数差が設定範囲内となったときの図３（Ｅ）の信号２４とが送られてくるから、これらの信号とコンパレータ１７からの図３（Ｃ）の位相差出力信号１９とのアンドが取られ、それによって位相差出力信号１９における位相差が１８０度の時（同期がずれている）の出力が除かれ、図３（Ｆ）の同期投入信号２５がＣＰＵ演算回路８に送られる。そのためＣＰＵ演算回路８は、同期検定器２６に同期投入可能角になったことを表示し、図示していない発電機のサーキットブレーカ（ＣＢ）を投入して発電機を母線に投入する。
【００２８】
以上が本発明になる発電機における位相同期検出回路の動作であるが、このように発電機における同期検出回路を構成することにより、位相同期検出回路をアナログとデジタル回路によるハイブリッド化した結果、ゼロクロスノイズに強く、かつ、高精度に位相同期点を検出できる位相同期点検出回路を提供することができる。
【００２９】
【発明の効果】
以上記載の如く本発明によれば、発電機出力の位相を１／４波長遅らせる移相手段と、この移相手段出力と前記母線出力とをかけ算するかけ算手段を用いて同期検出回路を構成することにより、母線と発電機の電圧のかけ算によって単に加算や減算した場合に較べて差を大きく取ることができ、同期点を高精度に検出することが可能となる。また、発電機出力の位相を１／４波長遅らせない場合、位相同期点がかけ算器出力におけるピーク位置に出るため高精度な位相同期点検出ができないのに対し、本発明においては発電機出力の位相を１／４波長遅らせてかけ算しているため、位相同期点はかけ算器出力における包絡線のプラス、マイナスが等しくなる位置（ゼロクロス点）となる。従って、その出力を受けてフィルター及びコンパレータ回路において同期点検検出を行うと、ノイズによる母線及び発電機電圧入力に生じるゼロクロスノイズは本回路の構成により通常は取り除かれるため、ゼロクロスノイズに影響されずに高精度な同期点検出をおこなうことができる。
【図面の簡単な説明】
【図１】本発明の発電機における位相同期検出回路の実施の形態を示した概略ブロック図である。
【図２】本発明の発電機における位相同期検出回路の入力波形とかけ算器の出力波形である。
【図３】本発明の発電機における位相同期検出回路の各ブロックの出力波形である。
【図４】かけ算器への発電機電圧の入力の位相をずらさなかったときの出力波形である。
【図５】本発明の発電機における位相同期検出回路を構成するコンパレータ１７の具体的回路例である。
【図６】本発明の発電機における位相同期検出回路を構成するコンパレータ１７の動作タイムチャートである。
【符号の説明】
１  位相同期検出回路
２  母線からの入力端子
３  発電機（本機）からの入力端子
４、５  変圧器（ＰＴ）
６、７  入力アンプ
８  ＣＰＵ演算回路
９  切り替え信号
１０、１１  母線電圧と発電機電圧を送る信号線
１２  −９０度移相器
１３  かけ算器
１４  自動ゲイン調整回路（ＡＧＣ）
１５  フィルター回路
１６  アンプ（ＡＭＰ）
１７  コンパレータ
１８  位相差設定信号
１９  位相差出力
２０  位相信号
２１  ９０度から２７０度の位相判別器
２２  同期投入判別器
２３  母線電圧と発電機電圧の位相極性信号
２４  周波数差と電圧差が設定値以内になったときの信号
２５  同期投入可能信号
２６  同期検定器
【図１】
2005012937.tif 000003
【図２】
2005012937.tif 000004
【図３】
2005012937.tif 000005
【図４】
2005012937.tif 000006
【図５】
2005012937.tif 000007
【図６】
2005012937.tif 000008